(57)【特許請求の範囲】
【請求項１】
回転軸とスライバ通路とを有するスライバ貯留用回転テーブルであって、
前記スライバ通路内のスライバは、牽引力を受けており、
前記スライバ通路のスライバ入口は、前記回転軸と同軸であり、
前記スライバ通路のスライバ出口は、前記スライバ入口に対して前記回転軸の半径方向にも軸方向にも離れた位置にあり、
前記スライバ通路は、前記スライバ入口と前記スライバ出口との間で曲げられており、内壁の一部が、スライバ走行路に向かって中高に湾曲した形状になっており、
前記スライバ通路のまわりに設置された外側管をさらに備え、前記スライバ通路の前記中高に湾曲した部分に複数の空気入口が設けられており、該外側管から、該複数の空気入口を通じてスライバ通路内に空気が導入されることにより、前記スライバと前記スライバ通路の内壁表面との間の摩擦力を低減させることを特徴とするスライバ貯留用回転テーブル。
【請求項２】
前記内壁の表面の一部が摩擦の少ない材料である、請求項１に記載の回転テーブル。
【請求項３】
前記摩擦の少ない材料は、前記内壁に被覆されている、請求項２に記載の回転テーブル。
【請求項４】
前記内壁の表面の全体が摩擦の少ない材料である、請求項３に記載の回転テーブル。
【請求項５】
前記スライバ入口の断面積は、前記スライバ通路の中央部の断面積よりも大きい、請求項１に記載の回転テーブル。
【請求項６】
前記スライバ通路の一部は、断面が円形である、請求項１に記載の回転テーブル。
【請求項７】
前記スライバ通路の一部は、断面が楕円形である、請求項１に記載の回転テーブル。
【請求項８】
前記スライバ出口は、断面が楕円形である、請求項１に記載の回転テーブル。
【請求項９】
前記外側管と前記スライバ通路が同軸である、請求項１に記載の回転テーブル。
【請求項１０】
空気が前記スライバ通路内へ径方向に導入されるように、前記空気入口が形成されている、請求項１に記載の回転テーブル。
【請求項１１】
空気クッションが少なくともスライバの一部と前記内壁表面との間に形成されるように、前記空気入口が空気を導入する、請求項１に記載の回転テーブル。
【請求項１２】
前記スライバ通路の軸に対して９０°以外の角度で空気が導入されるように、前記空気入口が形成されている、請求項１に記載の回転テーブル。
【請求項１３】
スライバの移動方向に空気が導入されるように、前記空気入口が形成されている、請求項１に記載の回転テーブル。
【請求項１４】
前記空気は、圧力によって導入される、請求項１に記載の回転テーブル。
【請求項１５】
請求項１に記載の回転テーブルを備える、梳綿機。
【請求項１６】
請求項１に記載の回転テーブルを備える、練條機。
【発明の詳細な説明】
【０００１】
【発明の属する技術分野】
発明は、入口が回転軸線の近傍又は同軸線上に配置され、且つ出口がその入口に対して半径方向及び軸方向に離れて配置されているスライバ用入口及び出口を備え、空間的に曲げられたスライバ通路を有し、移動するスライバにスライバを介して引張ドラフトが作用し、移動するスライバとスライバ通路の内壁との間に相対的な動きがあり、スライバ通路の内壁が摩擦抵抗を作用する、特に練條機、梳綿機等のスライバ貯留装置用回転テーブルに関する。
【０００２】
【従来の技術】
運転の実際において、スライバ通路内のスライバは、数種の運動の作用及び数種の力の作用を受ける。テークオフローラと自分で動く容器との間で、スライバには既知の牽引力が作用し、これによってスライバは入口から出口まで動く。出口が入口に対して軸方向に離れて配置されているために、回転運動により外向きに側方へ追加的に遠心力がスライバに対して作用し、スライバ通路内壁との間に望ましくない押し付け力を生ずることがある。外向きに作用する遠心力は、回転軸線に対する曲がりスライバ通路の距離を小さくすることによって小さくできる。スライバ通路内壁との間の押し付け力は、内壁とスライバとの高い摩擦を引き起こし、これによりスライバの移動速度が損なわれる。
【０００３】
１０００m/min迄の送り出し速度に対して、研磨された特殊鋼からなる曲がりスライバ通路を持つ回転テーブルが提案された。しかしながら、この方法では１０００m/minを越えるスライバ移動速度にすることは不可能であることが明らかになっている。特に繊細な練條機のスライバでは、内壁に対する大きい摩擦力は望ましくない。
【０００４】
【発明が解決しようとする課題】
これに対して、本発明は前述の欠点を防止し、特にスライバ案内とスライバ品質の改良を可能とする初めに述べた技術の回転テーブルを提供するという課題を基にしている。
【０００５】
【課題を解決するための手段】
この課題の解決は、請求項１の特徴部分の構成によってなされる。
【０００６】
本発明による処置は、スライバ通路の内部空間におけるスライバの種々の運動作用及びスライバへの種々の力の作用を斟酌している。作用する力は、全ての場所において同じ大きさでは発生しない。そのために、スライバと内壁の間の相互作用及び／又は配置を変更することによって望ましくない、つまり乱れを生ずる力が部分的に及び個別的に対処されることが出来る。この様にして、スライバ案内とスライバ品質の本質的な改善が達成され、そして、特に練條機における１０００m/minを越えるスライバ移動速度が達成できる。同様な程度に、本発明によるスライバ案内の改善が、特に梳綿機において、１０００m/minより下のスライバ移動速度の下でスライバ品質の向上を可能とする。スライバは本質的に均質であり、即ち種々の区間乃至領域においてドラフトに関し均一である。牽引力は全体として改善される。
【０００７】
請求項２乃至１６は、本発明の有利な更なる構成を内包している。
【０００８】
【発明の実施の形態】
本発明は、図面に示された実施例に基づいて以下に詳細に説明される。
【０００９】
図１による側面図は、練條機、例えばツリュツラー型練條機ＨＳＲの導入領域１、測定領域２、ドラフト領域（ドラフトローラ）３及びスライバ置き場４を（部分的に）示している。導入領域１では、スライバ導入台６（クリール）の下側に２列の容器列を持つ練條機のスライバ容器（丸容器）５が配置されており、供給スライバ７は導入ローラ８を介して引き込まれ、そしてドラフトローラ３に導入される。ドラフト領域３を通過した後に、引き延ばされたスライバ９はスライバ容器置き場４の回転テーブル１０に達し、そして出口容器１１の中にリング状に送出される。回転テーブル１０の中に、スライバ通路１２、例えば曲管、が配置されていて、それを通ってスライバ９が移動する。符号Ａにより練條機の作動方向が示されている。符号１７ａ、１７ｂにより、カレンダローラが示されている。
【００１０】
図２は、供給ローラ２１、供給台２２、テーカインロール２３、シリンダ２４、ドッファ２５、引き取りローラ２６、スクイーズローラ２７、２８、フリースガイド２９、トランペット３０、デリバローラ３１、３２、フラットバー３４を有する回転フラット３３、カバー、スライバ容器１１及びスライバ容器置き場２０を備えた梳綿機、例えばツリュツラー型高性能梳綿機を示している。ローラの回転方向は曲がった矢印で示されている。符号Ｂによって梳綿機の作動方向が示されている。スライバ容器置き場２０のカバー板の上方にハウジングがあり、その中に旋回する回転テーブル１０がある。スライバ容器１１は、回転テーブル１０を通してスライバ１３が充填される間に、（図示されない）駆動装置によって動かされる。回転テーブル１０の中にスライバ通路１２、例えば曲管が配置されており、それを貫通してスライバ１３が移動する。
【００１１】
図３によれば、スライバ通路１２は空間的に曲げられており、スライバ９（図４参照）の為の入口１２ａと出口１２ｂを有している。入口１２ａは、回転軸線１６と同軸に、そして出口１２ｂは入口１２ａに対して半径方向距離ａで且つ軸方向距離ｂで配設されている。回転テーブル１０は位置固定のパネル１４の中に配置されている。回転テーブル１０は、スライバ入口開口１２ａとスライバ出口開口１２ｂの間で、スライバ案内通路１２、例えば、曲管を有する。下側の回転ヘッド板１５の中にあるスライバ出口開口１２ｂは、略楕円の形状を有する。スライバ９はスライバ通路１２の中で矢印の方向に動き、スライバ出口開口１２ｂを通って容器１１の中に入る（図１参照）。符号１５ａ、１５ｂによって玉軸受が示されている。
【００１２】
スライバ９は、スライバ通路１２の中で軽い牽引力Ｚが作用している。通過する間、スライバ９はスライバ通路１２の曲がりに従う。この曲がりと牽引力のために、スライバ９は、領域ｘ、ｙにおいてスライバ通路の内壁１２ｃに、押し付け力、つまりは摩擦力Ｐ1、Ｐ2を内壁１２の残りの位置を除いて及ぼす。走行するスライバと内壁１２ｃとの間で相対運動が生ずる。
【００１３】
スライバ９と内壁１２ｃの間の摩擦抵抗は、本発明によれば、スライバ９とスライバ通路１２の内壁１２ｃとの間の相互作用及び／又は空間的な配置の変更により低減される。内壁１２ｃの「臨界的な」領域ｘ、ｙはその際重要な意義を持っている。従って、スライバ９と内壁１２ｃの領域ｘ、ｙとの間の摩擦は、摩擦係数μの減少により、摩擦角αの減少により、及び／又は曲率半径ｒの増大により減らすことができる。又、カレンダローラ１７ａ、１７ｂと容器１１の重量とによって決まる牽引力も、変えることが出来る（引張力Ｚ）。この処置により押し付け力Ｐ1、Ｐ2が個別に又は組合わさって低減される。これは図２のスライバ１３の場合も同様である。
【００１４】
スライバ９の送り出しは、スライバ形成機械の産出するスライバ９、１３をスライバ容器１１の中に環状に出し置きするという役目を持つ回転テーブル１０によって行われる。環状形成は、２個の回転運動、即ち回転テーブル１０によって行われる速い運動とスライバ容器１１によって行われるゆっくりした運動、の組み合わせによって行われる（矩形容器の場合は第２の運動は並進である。）。スライバ貯留プロセスにおいて、スライバ通路（管）１２の中のスライバ９、１３は種々の力を受ける。重力、遠心力、作用する引張力による偏倚力、並びにスライバ９、１３の移動方向に対抗する方向に作用し、これによってスライバ貯留プロセスを妨害するスライバ９、１３と管内壁１２ｃの間の摩擦力が作用する。スライバ通路（管）１２の曲がり領域内において、各湾曲部の中高に曲げられた小半径部にスライバが常に寄りかかっている。上述の摩擦力は実質的に、この接触領域ｘ、ｙにおいて、スライバと管との間の相互作用によって生ずる。機械の運転状態とスライバ品質に対する既述の悪影響は、とりわけスライバ９とそれを案内するスライバ通路（スライバ案内器官）１２の内壁１２ｃとの間のこの摩擦によって生ずる。
【００１５】
回転テーブル１０のスライバ通路１２内のスライバガイドを改善するために、以下の処置が個別の又は複合した形で行われる。
【００１６】
繊維材料と、セグメント的に被覆され又は摩擦の少ない材料から実施されるスライバ通路（管）の内表面との摩擦度の低減により、問題点が改善される。
【００１７】
スライバ案内器官の幾何学的形状は、繊維材料のほぐれがスライバ通路（スライバ案内器官）１２の周面によって防止されるように変更される。
【００１８】
スライバ案内器官１２の幾何学的形状は、特に入口１２ａにおいて拡げられる。これによって、引張の影響下におけるスライバ９、１３のスライバ案内器官１２による問題点が改善される。
【００１９】
スライバ９、１３に（例えば、磁界又は電界の発生により）外力が作用される。これにより、例えば繊維と繊維を案内する表面１２ｃとの間の摩擦が減少する。
【００２０】
スライバ貯留によって生ずるスライバ負荷の変動は、制御される要因、例えば容器、によって調節される。
【００２１】
スライバ案内距離は、回転テーブルとスライバ案内通路の一体化構造により減少される。
【００２２】
スライバ通路（スライバ案内器官）１２は、丸い実施形状（例えば楕円形）とは別のものを有する。
【００２３】
スライバ通路（スライバ案内器官）における摩擦低減の為の処置は、練條機、梳綿機、コーマで適用される。
【００２４】
本発明は、スライバ通路が転向する接触領域ｘ、ｙにおいて、スライバ９と管内壁１２ｃとが空気絨毯によって互いに分離され、接触力（特にＰ1、Ｐ2）を最初から完全に存在しないようにするという考え方に基づいている。これは、スライバ通路（管）１２が部分的に穿孔され、又はスロットを形成されることによって実現される。これによって、外側から管１２の内部に作用する空気流れが導入され、それは管内壁１２ｃからスライバを押して遠ざけ、これにより接触力及び摩擦力は低減される。スロット形成の穴は、管壁に関し垂直に又はスライバ移動方向に対して傾斜して形成される。空気絨毯は種々のやり方で設けることが出来る。
【００２５】
例えば、回転する管１２の中で作用する遠心力の運搬作用の利用又は持続する圧力差の利用によって受動的に。
【００２６】
例えば外側からの吹き付けにより能動的に。
【００２７】
特に、これはスライバの平行状態に対する悪影響及び紡糸性能の悪化と同時に発生するので、一面においてスライバ９と管壁１２ｃの効果的な分離を生ずるように十分に強く、しかしながら他面においてスライバの方向転換による捩れを生じない空気流が発生される。後者は、管壁の開口の適切な位置、大きさ及び向き並びに空気量の正確な測定によって防止される。
【００２８】
図６によれば、スライバ通路１２は、開口１２ｅを有している。スライバ通路１２の外面１２ｄの周りに閉じた管１８が配置され、これに（図示しない）圧縮空気源が接続されている。圧縮空気流Ｃが、管１８の内部空間から開口１２ｅを通ってスライバ通路１２の内部空間内に入り、スライバ９を内壁１２ｃから押し離す。
【００２９】
図７に対応して、圧縮空気流Ｄが方向Ｆに角度を成してスライバ通路１２の内部空間に流入し、そしてそれによって移動方向を下支えする。開口１２ｅは、臨界的な領域、例えば領域ｘ、ｙにおいてのみ配設されている。
【図面の簡単な説明】
【図１】図１は発明による回転テーブルを備えた練條機を示す側面図である。
【図２】図２は発明による回転テーブルを備えた梳綿機を示す側面図である。
【図３】図３は図１によるスライバ通路を備えた回転テーブルを示す断面図である。
【図４】図４はスライバ通路の側面をスライバと共に示す断面図である。
【図５】図５はスライバ通路を示す平面図である。
【図６】図６は空気導入開口を備えたスライバ通路を示す断面図である。
【図７】図７は臨界的領域におけるスライバ移動方向の空気導入開口を示す図である。
【符号の説明】
９…スライバ
１０…回転テーブル
１１…容器
１２…スライバ通路
１３…スライバ
【図１】
0004541634.tif 000002
【図２】
0004541634.tif 000003
【図３】
0004541634.tif 000004
【図４】
0004541634.tif 000005
【図５】
0004541634.tif 000006
【図６】
0004541634.tif 000007
【図７】
0004541634.tif 000008